(57)【要約】【課題】携帯端末装置の固定リアケースに設けた回路基板の電源コネクタに対する保護構造を備えた携帯端末装置を提供する。【解決手段】携帯電話機を構成する固定リアケース１２０は、回路基板１５０および回路基板１５０と隣接して配置されたフレーム板１３０とを有し、回路基板１５０の一端部には、固定リアケース１２０に形成された電池収納部１２３に電池パックが収納された際に、電池パックの電極端子と電気接続する電源コネクタ１５１が設けられ、フレーム板１３０の一端部には、電源コネクタ１５１の周囲を覆うとともに、当該電源コネクタ１５１を支持するコネクタ支持部材１３５が設けられる。【選択図】        図４
2009246818.tif 000002
【特許請求の範囲】
【請求項１】
回路基板と、当該回路基板と隣接して配置されたフレーム筐体とを有する固定リアケースと固定フロントケースとを備える固定側筐体および表示パネルを有する可動側筐体とをヒンジ構造により連結した携帯端末装置であって、
前記回路基板の一端部には、
前記固定リアケースに形成された電池収納部に電池パックが収納された際に、当該電池パックの電極端子と電気接続する接続端子を有する電源コネクタが設けられ、
前記フレーム筐体の一端部には、
前記電源コネクタの周囲を覆うとともに、当該電源コネクタを支持するコネクタ支持部材が設けられることを特徴とする携帯端末装置。
【請求項２】
前記コネクタ支持部材は、前記電源コネクタの下面を支持する下面支持板と、当該電源コネクタの背面部を支持する背面支持板とを有する全体がコ字型の樹脂部材により成形されることを特徴とする請求項１に記載の携帯端末装置。
【請求項３】
前記フレーム筐体の一端部には、一対の固定ピン部材が突設され、当該固定ピン部材は、前記回路基板の一端部に設けられた固定板部の一対の通孔を挿通するとともに、前記固定リアケースの一端部に設けられた一対の嵌合孔に嵌合固定されることを特徴とする請求項１に記載の携帯端末装置。
【請求項４】
前記固定ピン部材は、金属製のピン部材が選定されることを特徴とする請求項１に記載の携帯端末装置。
【発明の詳細な説明】
【技術分野】
【０００１】
本発明は、可動側筐体と固定側筐体とが連結部を介して重ね合わせ自在に連結された携帯端末装置に関するものであり、特に、固定側筐体に設けた回路基板の電源コネクタに対する保護構造を備えた携帯端末装置に関する。
【背景技術】
【０００２】
近年の携帯電話機は多機能化された種々の機能が要求されているため、このような携帯電話機の大きさは、小型化および軽量化となる傾向となっている。このため、電源用として使用される電池パックを収納する電池収納部の占有スペースも小型化の傾向となっている。
【０００３】
ここで、図７−１および図７−２を用いて、携帯電話機に設けられた電池収納部および電池パックの概要について説明する。図７−１は、電池パックの収納前を、図７−２は、電池パックを収納した状態をそれぞれ説明する説明図である。
【０００４】
図７−１に示すように、固定リアケース１２０の底面部の片側（図７−１の左側）には、矩形状に形成された電池収納部１２３が設けられている。電池収納部１２３の周囲には、溝部１２４が形成され、この溝部１２４にリアカバー３０（図８）を嵌め込むことにより閉塞される。
【０００５】
ここで、固定リアケース１２０の内部には、接続端子１５２を有する電源コネクタ１５１ａが固設された回路基板（図４）が設けられている。すなわち、図７−２に示すように、電池収納部１２３に電池パック２０が収納された際には、電源コネクタ１５１ａの接続端子１５２が電池パック２０の電極端子（図示せず）と電気接続するようになっている。
【０００６】
このように電池パック２０を電池収納部１２３に収納することで、この電池パック２０の電極端子と電源コネクタ１５１ａの接続端子１５２とが電気接続され装置側に電源供給を行なうことができる。
【０００７】
ところが、このような従来の携帯電話機の場合、前述したように、小型化となっているため電源コネクタ１５１ａの接続端子１５２のストロークを確保するためのスペースが確保することが難しく、これにより、電源コネクタ１５１ａの高さを確保できないという問題が発生している。
【０００８】
また、携帯電話機を不用意に落とした時などの場合に、この落下時の衝撃により電池パック２０の電極端子と電源コネクタ１５１ａの接続端子１５２との接続が瞬断するなどの問題がある。
【０００９】
このため回路基板に設けた電源コネクタを保護するコネクタ保護構造に関して、例えば、特許文献１には、スタッキングコネクタの周囲に補強枠を嵌め込み、落下衝撃に対する耐性を備えた携帯端末装置について開示されている。
【００１０】
【特許文献１】特開平１０−１７２６９３号公報
【発明の開示】
【発明が解決しようとする課題】
【００１１】
ところが、上述した従来の携帯電話機の場合、ある程度、電源コネクタの保護を行なうことができるが依然として、携帯電話機が落下した際などに電源が瞬断するなど電源コネクタの位置ズレに起因する問題が発生している。
【００１２】
この問題点について、図８を用いて説明する。図８は、従来の携帯電話機による固定側筐体の内部である要部拡大断面図を示している。ここで、電池収納部１２３への電池パック２０の未セット時、接続端子１５２の位置は、位置ａであり、電池パック２０のセット時、接続端子１５２の位置は、位置ｂであり、携帯電話機が落下した時などでは、電池パック２０の位置は、位置ｃとなる。
【００１３】
すなわち、携帯電話機が落下した時などでは、電源コネクタ１５１ａは、図中の矢印方向に変形（移動）するため、これによって、この電源コネクタ１５１ａの電気接点１５３の剥離により電源の瞬断が発生することとなる。
【００１４】
本発明は、上記に鑑みてなされたものであって、電源コネクタの変形（移動）および実装基板の装置内部でのズレを防止するとともに、落下衝撃が加わった時の電源の瞬断および電源コネクタの端子剥離を防止することができる携帯端末装置を提供することを目的とする。
【課題を解決するための手段】
【００１５】
携帯端末装置を構成する固定リアケースは、回路基板および回路基板と隣接して配置されたフレーム筐体とを有し、回路基板の一端部には、固定リアケースに形成された電池収納部に電池パックが収納された際に、電池パックの電極端子と電気接続する電源コネクタが設けられ、フレーム筐体の一端部には、電源コネクタの周囲を覆うとともに、当該電源コネクタを支持するコネクタ支持部材が設けられることを要件とする。
【発明の効果】
【００１６】
携帯端末装置は、固定リアケースの内部に配置された回路基板に隣接されたフレーム筐体の一端部には、回路基板の一端部に固設された電源コネクタの周囲を覆うとともに、当該電源コネクタを支持するコネクタ支持部材が設けられるので、落下や衝撃によっても、回路基板に固設された電源コネクタの接続端子の剥がれを防止することができる。電源コネクタの倒れ防止および回路基板の装置内部での位置ズレを防止することができるとともに、携帯電話機に何らかの落下衝撃が加わった場合でも、電源の瞬断及び電源コネクタに設けた接続端子が回路基板から剥離することを防止することができる。
【発明を実施するための最良の形態】
【００１７】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１８】
先ず、図1を用いて携帯端末装置の全体構成を説明する。ここで、図１は、本発明の実施例１に係る携帯電話機の開放状態を示す斜視図である。同図に示すように、携帯電話機１０は、掌サイズの固定側筐体１００および可動側筐体２００と、これら固定側筐体１００および可動側筐体２００を連結部３００により組み付けている。
【００１９】
図１に示すように、携帯電話機１０は、送話用に用いられるとともに、数字（０〜９）キーを有するテンキー１１１および機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを、２つのヒンジ部３１０、３２０とを有する連結部３００により折り畳み自在に連結している。これら固定側筐体１００及び可動側筐体２００は、箱形状に形成され、その材料には、例えば、軽量で高強度のマグネシウム合金などが使用されている。 
【００２０】
このうち、固定側筐体１００は、テンキー１１１などの各種操作キーを有する操作パネル板１１５が配置された固定フロントケース１１０と、背面側（図１の下側)に位置する固定リアケース１２０との２分割構造を備えている。
【００２１】
同図に示すように、固定フロントケース１１０には、上述したテンキー１１１、機能キー１１２、テレビ電話キー１１３や携帯電話機１０の利用者の音声を電気信号に変換するマイクロホンが内部に配設された送話口１１４など設けられている。そして、これら両ケース１１０、１２０は、それぞれ４箇所の位置で取り付けネジ（図示せず）によるネジ止め固定により組み付けられている。
【００２２】
同様に、可動側筐体２００は、表示パネル２１１が配置された可動フロントケース２１０と、背面側（図１の下側）に位置する可動リアケース２２０との２分割構造を備えている。このうち、可動フロントケース２１０には、携帯電話機１０の使用者の耳を当てて音声を聞き取るための受話口２１２が配設されている。
【００２３】
そして、これら両ケース２１０、２２０もそれぞれ４箇所の位置で取り付けネジ(図示せず)により取り付け固定されるとともに、表示パネル２１１の上部位置には、ネジ用の目隠しカバー２１３が設けられている。
【００２４】
［概要および特徴］
次に、図２および図３を参照して、固定側筐体１００を構成する固定リアケース１２０の内部構成および特徴部分について説明する。図２は、固定側筐体の内部構成および固定リアケースの要部を示す拡大断面図である。また、図３は、固定側筐体の内部構成を示す縦断面図である。
【００２５】
ここで、本実施例１の携帯端末装置では、固定リアケース１２０の内部に設けられたフレーム板１３０に回路基板１５０の端部に固設された電源コネクタ１５１を保護するためのコネクタ支持部材１３５を設けたことに主な特徴がある。
【００２６】
概略的に説明すると、携帯電話機１０を構成する固定リアケース１２０は、回路基板１５０および回路基板１５０と隣接して配置されたフレーム板１３０とを有している。また、この回路基板１５０の一端部（図４の右側、図５の左側）には、固定リアケース１２０に形成された電池収納部１２３に電池パック２０が収納された際に、電池パック２０の電極端子と電気接続する電源コネクタ１５１が設けられている。
【００２７】
そして、このフレーム板１３０の一端部（図４の右側、図５の左側）には、電源コネクタ１５１の周囲を覆うとともに、当該電源コネクタ１５１を支持するコネクタ支持部材１３５を設けている。
【００２８】
以下、図４、図５および図６−１、６−２を用いて、固定側筐体および固定リアケース内部構成の詳細を説明する。ここで、図４は、固定リアケースの内部を示す分解斜視図（上方向）である。また、図５は、固定リアケースの内部を示す下方向分解斜視図（下方向）である。また、図６−１は、固定リアケースの外観を示す斜視図（下方向）を、図６−２は、同じく、固定リアケースの外観を示す斜視図（上方向）である。
【００２９】
すなわち、同図に示すように、固定側筐体１００に備えた固定リアケース１２０の内部には、全体が樹脂材により成形されたフレーム板１３０と、回路基板１５０が実装された回路基板ベース板１４０とが積層された状態で設けられている。
【００３０】
このうち、固定側筐体１００の固定リアケース１２０（図６−１、図６−２）は、全体が薄板箱状でほぼ全領域を占める平面板部１２１と、この平面板部１２１の周囲に位置する側面板部１２２とを有するとともに、電池収納部１２３の側面部には、複数（図５では３個）の通孔１２６が形成されたコネクタ板部１２５が設けられている。そして、この３個の通孔１２６から電源コネクタ１５１の３個の接続端子１５２が突出され、電池パック２０の電極端子（図示せず）と接続されている。
【００３１】
また、回路基板ベース板１４０は、全体が四角形状の板金筐体であって、この回路基板ベース板１４０には回路基板１５０が設けられている。また、この回路基板ベース板１４０の一端部（図５の左側）には、内部に複数（図５では３個）の接続端子１５２が設けられた電源コネクタ１５１が固設されている。
【００３２】
また、フレーム板１３０は、全体が四角形状の樹脂材により成形されたフレーム本体部１３１であり、このフレーム本体部１３１の一端部（図４の右側、図５の左側）には、外側に向けて延出された延出板部１３２が突設されており、この延出板部１３２にコネクタ支持部材１３５が設けられている。
【００３３】
コネクタ支持部材１３５は、回路基板１５０の一端部（図５の左側）に固設された電源コネクタ１５１の下面を支持する下面支持板１３６と、当該電源コネクタ１５１の背面部を支持する背面支持板１３７と、側面部を支持する一対の側面支持板１３８、１３９とを有する全体が略コ字型の樹脂部材により成形されている。
【００３４】
また、この延出板部１３２には、一対の金属製（ステンレス）による固定ピン１６０が圧入固定されており、これら一対の固定ピン１６０は、回路基板１５０の一端部（図４の右側）に設けられた固定板部１４１の一対の通孔１４２を挿通している。
【００３５】
そして、固定リアケース１２０の一端部（図４の右側）に設けられた柱部１２７の一対の嵌合孔１２８に嵌合固定されるている。すなわち、このように、一対の固定ピン１６０により回路基板１５０と固定リアケース１２０とを固定支持することによって、回路基板１５０の位置ズレを防止することができる。
【００３６】
以上説明したように、携帯電話機１０に備えた固定リアケース１２０は、回路基板１５０および回路基板１５０と隣接して配置されたフレーム板１３０とを有し、回路基板１５０の一端部には、固定リアケース１２０に形成された電池収納部１２３に電池パック２０が収納された際に、電池パック２０の電極端子と電気接続する電源コネクタ１５１が設けられ、フレーム板１３０の一端部には、電源コネクタ１５１の周囲を覆うとともに、当該電源コネクタ１５１を支持するコネクタ支持部材１３５が設けられるので、衝撃による電源コネクタ１５１の電気接点１５３の端子剥がれや電源瞬断を防止することができる。
【００３７】
（他の実施例）
なお、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。 
【００３８】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。 
【００３９】
以上の実施例１を含む実施形態に関し、さらに以下の付記を開示する。
【００４０】
（付記１）回路基板と、当該回路基板と隣接して配置されたフレーム筐体とを有する固定リアケースと固定フロントケースとを備えた固定側筐体および表示パネルを有する可動側筐体とをヒンジ構造により連結した携帯端末装置であって、
前記回路基板の一端部には、
前記固定リアケースに形成された電池収納部に電池パックが収納された際に、当該電池パックの電極端子と電気接続する接続端子を有する電源コネクタが設けられ、
前記フレーム筐体の一端部には、
前記電源コネクタの周囲を覆うとともに、当該電源コネクタを支持するコネクタ支持部材が設けられることを特徴とする携帯端末装置。
【００４１】
（付記２）前記コネクタ支持部材は、前記電源コネクタの下面を支持する下面支持板と、当該電源コネクタの背面部を支持する背面支持板とを有する全体がコ字型の樹脂部材により成形されることを特徴とする付記１に記載の携帯端末装置。
【００４２】
（付記３）前記フレーム筐体の一端部には、一対の固定ピン部材が突設され、当該固定ピン部材は、前記回路基板の一端部に設けられた固定板部の一対の通孔を挿通するとともに、前記固定リアケースの一端部に設けられた一対の嵌合孔に嵌合固定されることを特徴とする付記１に記載の携帯端末装置。
【００４３】
（付記４）前記固定ピン部材は、金属製のピン部材が選定されることを特徴とする付記１に記載の携帯端末装置。
【００４４】
（付記５）前記固定ピン部材は、ステンレス製のピン部材が選定されることを特徴とする付記１に記載の携帯端末装置。
【図面の簡単な説明】
【００４５】
【図１】実施例１に係る携帯電話機の開放状態を示す斜視図である。
【図２】固定側筐体の内部構成および要部を示す拡大断面図である。
【図３】固定側筐体の内部構成を示す縦断面図である。
【図４】固定リアケースの内部を示す分解斜視図（上方向）である。
【図５】固定リアケースの内部を示す分解斜視図（下方向）である。
【図６−１】固定リアケースの外観を示す斜視図（下方向）である。
【図６−２】固定リアケースの外観を示す斜視図（上方向）である。
【図７−１】電池パックの収納前を説明する説明図である。
【図７−２】電池パックを収納した状態を説明する説明図である。
【図８】従来の携帯電話機による固定側筐体の内部を示す要部拡大断面図である。
【符号の説明】
【００４６】
１０  携帯電話機
１００  固定側筐体
１１０  固定フロントケース
１１５  操作パネル
１２０  固定リアケース
２００  可動側筐体
２１０  可動フロントケース
２２０  可動リアケース
【図１】
2009246818.tif 000003
【図２】
2009246818.tif 000004
【図３】
2009246818.tif 000005
【図４】
2009246818.tif 000006
【図５】
2009246818.tif 000007
【図６−１】
2009246818.tif 000008
【図６−２】
2009246818.tif 000009
【図７−１】
2009246818.tif 000010
【図７−２】
2009246818.tif 000011
【図８】
2009246818.tif 000012